(57)【特許請求の範囲】
【請求項１】
外周部分にロープが巻き掛けられたウェッジをソケット内の所定位置まで引き込むことにより、留め金具に前記ロープを締結する楔式ロープ留め金具の挿入装置であって、
前記ソケットの開口から前記ソケットの外部に延びた前記ロープに固定される把持具と、
前記ロープが中空部を貫通した状態で、前記把持具と前記開口を形成する前記ソケットの一端部との間に配置されるとともに、前記ソケット側への変位が、前記ソケットの前記一端部に規制される受け具と、
前記把持具に設けられ、前記受け具を前記ソケットの前記一端部側に押し付ける押圧具と、
を備えたことを特徴とする楔式ロープ留め金具の挿入装置。
【請求項２】
外周部分にロープが巻き掛けられたウェッジをソケット内の所定位置まで引き込むことにより、留め金具に前記ロープを締結する楔式ロープ留め金具の挿入装置であって、
前記ソケットの開口から前記ソケットの外部に延びた前記ロープに固定される把持具と、
前記ロープが中空部を貫通した状態で、前記把持具と前記開口を形成する前記ソケットの一端部との間に配置されるとともに、前記ソケット側への変位が、前記ソケットの前記一端部に規制される受け具と、
前記受け具に設けられ、前記把持具を前記ソケットから離れる方向に押し付ける押圧具と、
を備えたことを特徴とする楔式ロープ留め金具の挿入装置。
【請求項３】
前記押圧具は、前記ロープに対して前記ロープの長手方向に変位することにより、前記把持具と前記受け具とを互いに離れる方向に押圧することを特徴とする請求項１又は請求項２に記載の楔式ロープ留め金具の挿入装置。
【請求項４】
前記押圧具は、前記ロープに対して前記ロープの長手方向と直交する方向に変位することにより、前記把持具と前記受け具とを互いに離れる方向に押圧することを特徴とする請求項１又は請求項２に記載の楔式ロープ留め金具の挿入装置。
【請求項５】
前記受け具は、前記中空部の開口寸法を、前記開口の短手方向に変化させることなく、前記開口の長手方向に調整可能な所定の構造を有することを特徴とする請求項１から請求項４の何れかに記載の楔式ロープ留め金具の挿入装置。
【請求項６】
前記受け具は、
Ｌ字状を呈する第１側面によって、前記中空部を形成する内側面の一部を形成するとともに、ネジ孔が形成された第１金具と、
Ｌ字状を呈する第２側面が前記第１側面に対向するように配置されることによって、前記中空部を形成する内側面の他部を形成するとともに、前記中空部の開口方向と直交する方向に長手を有する長孔が形成された第２金具と、
前記長孔を介して前記ネジ孔に締め付けられることにより、前記第１金具と前記第２金具とを固定する固定ボルトと、
を備えたことを特徴とする請求項５に記載の楔式ロープ留め金具の挿入装置。
【発明の詳細な説明】
【技術分野】
【０００１】
この発明は、エレベーター等で使用されるロープの端部を、楔式の留め金具に適切に固定するための楔式ロープ留め金具の挿入装置に関するものである。
【背景技術】
【０００２】
図１は一般的なエレベーター装置の構成を示す正面図である。
図１において、１はエレベーターの昇降路、２は昇降路１内を昇降するエレベーターのかご、３は昇降路１内をかご２とは逆方向に昇降するつり合いおもり、４はかご２及びつり合いおもり３を昇降路１内で釣瓶式に懸架する主ロープである。主ロープ４は、その一部が、巻上装置５の駆動綱車５ａとそらせ車６とに巻き掛けられている。かご２（及び、つり合いおもり３）は、駆動綱車５ａの回動に連動して主ロープ４がその長手方向に移動することにより、主ロープ４の移動方向に応じた方向に、昇降路１内を昇降する。
【０００３】
エレベーターの主ロープ４は、一般に、ワイヤロープで構成されているため、かご２やつり合いおもり３に直接接続することはできない。例えば、図１に示すような１：１ローピング方式のエレベーター装置では、主ロープ４の各端部を所定の留め金具７に連結し、この留め金具７を介してかご２（のかご枠２ａ）やつり合いおもり３に主ロープ４を連結している。
【０００４】
図２は図１に示すＡ部の縦断面図であり、主ロープ４の端部が留め金具７に適切に締結された状態を示している。図２に示す留め金具７は楔式と呼ばれるものであり、例えば、ウェッジ８とソケット９とから構成される。ウェッジ８は、その名の通り、楔状を呈する部材からなる。また、ソケット９には、ウェッジ８を収納するための収納部が形成されており、その収納部を形成する内側面の一部に、ウェッジ８のＶ字（ウェッジ８の側端面）の傾斜に合わせた楔受け面９ａが設けられている。
【０００５】
かかる構成の留め金具７に主ロープ４を締結するためには、先ず、主ロープ４の一端を、ソケット９の先端部（一端部）に形成された開口９ｂから上記収納部内に挿し込み、反対側の大きい方の開口９ｃからロープ４を引き出す。次に、開口９ｃから引き出した主ロープ４をウェッジ８の外周部分に巻き掛けて主ロープ４を折り返し、その状態のまま、ウェッジ８をその先端８ａ側から上記収納部内に挿入する。主ロープ４の一端を開口９ｂから引き出すと、開口９ｂからソケット９の外部に延びた２本の主ロープ４をソケット９の反対方向（図２のＢ方向）に引っ張り、ウェッジ８をソケット９の収納部内に適切に配置する。例えば、図２に示すように、ウェッジ８の先端８ａが開口９ｂから突出するまでウェッジ８をソケット９内に引き込むことにより、ソケット９の収納部内において、主ロープ４がウェッジ８の側端面と楔受け面９ａとによって適切に挟み込まれる。
【０００６】
ウェッジ８を図２に示す状態まで引き込むと、開口９ｂから突出したウェッジ８の先端８ａに、抜け防止用の割りピン１０を挿入する。また、ソケット９内で折り返されて２本になった主ロープ４を、開口９ｂの近傍において、ワイヤクリップ１１を使用して固定する。
【０００７】
このような楔作用を利用した締結方式は、溶接や圧着等の必要がなく、熟練者でなくても、ある程度の締結効率を得ることができるといった利点がある。しかし、上記締結方式では、ウェッジ８をソケット９の収納部内に引き込む際に、ウェッジ８の他端部（先端８ａの反対側の端部）とワイヤロープ４との間（図２に示すＣ部）に隙間（主ロープ４の浮き）が生じ易い。なお、ソケット９内で主ロープ４が浮いている状態のまま、主ロープ４にかご２やつり合いおもり３の負荷が作用すると、その負荷によって上記浮きが解消され（即ち、主ロープ４が移動し）、かご２側の留め金具７とつり合いおもり３側の留め金具７との間の距離が、調整した値から変化してしまう。
【０００８】
このような問題を解決するための従来技術として、例えば、下記特許文献１に記載のものがある。特許文献１に記載の楔式ロープ留め金具では、主ロープの折り返し部分を押さえ付ける部材をソケットに設けることにより、主ロープに浮きが発生することを防止している。
【先行技術文献】
【特許文献】
【０００９】
【特許文献１】特開２００１−１６５２４５号公報
【発明の概要】
【発明が解決しようとする課題】
【００１０】
従来では、上記構成の留め金具７を主ロープ４に締結する際に、主ロープ４が巻き掛けられたウェッジ８をソケット９内に引き込む作業を、人力によって行っていた。主ロープ４にはその表面に油が付着していて滑り易いとともに、主ロープ４の径が太くなると（例えば、主ロープ４の径が１６或いは２０ｍｍ以上になると）、主ロープ４をウェッジ８の曲率に合わせて巻き掛ける作業や、ウェッジ８をソケット９内に引き込む作業自体が、人力では不可能になってしまう。このため、特許文献１に記載の装置を採用しても、ソケット９内で主ロープ４に浮きが発生することを完全に防止することはできなかった。
【００１１】
なお、ソケット９内で主ロープ４が浮いてしまうと、上述したように、かご２等の負荷が作用することによって主ロープ４の距離に変化が生じてしまう。このため、各主ロープ４に作用する負荷にばらつきが生じて、一部の主ロープ４の摩耗が早く進行したり、かご２（或いは、つり合いおもり３）とその下方の緩衝器との間に十分な距離が確保できなくなったりすることがあった。また、ソケット９内で主ロープ４が浮いた状態では、特に主ロープ４にかご２等の負荷が作用していない場合に、ウェッジ８が緩んだり、抜け出てしまったりする恐れもあった。
【００１２】
この発明は、上述のような課題を解決するためになされたもので、その目的は、楔式の留め金具にロープを締結する際に、ロープが巻き付けられた状態のウェッジを、ソケット内の適切な位置まで容易に引き込むことができる楔式ロープ留め金具の挿入装置を提供することである。
【課題を解決するための手段】
【００１３】
この発明に係る楔式ロープ留め金具の挿入装置は、外周部分にロープが巻き掛けられたウェッジをソケット内の所定位置まで引き込むことにより、留め金具にロープを締結する楔式ロープ留め金具の挿入装置であって、ソケットの開口からソケットの外部に延びたロープに固定される把持具と、ロープが中空部を貫通した状態で、把持具と開口を形成するソケットの一端部との間に配置されるとともに、ソケット側への変位が、ソケットの一端部に規制される受け具と、把持具に設けられ、受け具をソケットの一端部側に押し付ける押圧具と、を備えたものである。
【００１４】
また、この発明に係る楔式ロープ留め金具の挿入装置は、外周部分にロープが巻き掛けられたウェッジをソケット内の所定位置まで引き込むことにより、留め金具にロープを締結する楔式ロープ留め金具の挿入装置であって、ソケットの開口からソケットの外部に延びたロープに固定される把持具と、ロープが中空部を貫通した状態で、把持具と開口を形成するソケットの一端部との間に配置されるとともに、ソケット側への変位が、ソケットの一端部に規制される受け具と、受け具に設けられ、把持具をソケットから離れる方向に押し付ける押圧具と、を備えたものである。
【発明の効果】
【００１５】
この発明に係る楔式ロープ留め金具の挿入装置を使用することにより、楔式の留め金具にロープを締結する際に、ロープが巻き付けられた状態のウェッジを、ソケット内の適切な位置まで容易に引き込むことができるようになる。
【図面の簡単な説明】
【００１６】
【図１】一般的なエレベーター装置の構成を示す正面図である。
【図２】図１に示すＡ部の縦断面図である。
【図３】この発明の実施の形態１における楔式ロープ留め金具の挿入装置を示す正面図である。
【図４】この発明の実施の形態１における楔式ロープ留め金具の挿入装置を示す側面である。
【図５】この発明の実施の形態１における楔式ロープ留め金具の挿入装置を示す平面図である。
【図６】図３に示すＤ−Ｄ断面図である。
【図７】この発明の実施の形態２における楔式ロープ留め金具の挿入装置を示す正面図である。
【発明を実施するための形態】
【００１７】
この発明をより詳細に説明するため、添付の図面に従ってこれを説明する。なお、各図中、同一又は相当する部分には同一の符号を付しており、その重複説明は適宜に簡略化ないし省略する。
【００１８】
実施の形態１．
図３はこの発明の実施の形態１における楔式ロープ留め金具の挿入装置を示す正面図、図４はその側面図、図５はその平面図、図６は図３に示すＤ−Ｄ断面図である。
本挿入装置は、上記構成の楔式の留め金具７に主ロープ４を締結する際に、作業者が使用するためのものである。即ち、作業者は、本挿入装置を使用することにより、人力に頼ることなく、外周部分に主ロープ４が巻き掛けられたウェッジ８をソケット９内の所定位置まで適切に引き込むことができる。なお、図３乃至図６は、本挿入装置の使用時の状態を示している。また、主ロープ４を留め金具７に締結した時の状態は図２と同じであるため、留め金具７の構成等を含め、その詳細な説明は省略する。
【００１９】
図３乃至図６に示すように、本挿入装置は、把持具１２と、受け具１３と、押圧具１４とにより、その要部が構成される。なお、図３乃至図６において、４ａは、ウェッジ８の外周部分に巻き掛けられてソケット９の小さい方の開口９ｂからソケット９の外部に伸びた主ロープ４のうち、かご２やつり合いおもり３の負荷が作用する負荷側を、４ｂは上記負荷側４ａとは反対側の端部側を示している。
【００２０】
把持具１２は、ソケット９の開口９ｂの近傍で、主ロープ４の負荷側４ａと端部側４ｂとの双方に固定されるものである。具体的に、把持具１２は、２つの把持金具１５及び１６と、把持金具１５及び１６を固定するボルト等の締付具１７とを備えている。把持金具１５及び１６は、例えば、アルミニウムや銅等の（鉄より）軟らかい金属で構成され、その各側面に、２本のＶ形の溝１５ａ及び１６ａが形成されている。そして、把持具１２を主ロープ４に固定する場合は、一方の溝１５ａ及び１６ａに主ロープ４の負荷側４ａを、他方の溝１５ａ及び１６ａに主ロープ４の端部側４ｂを対向させることにより、把持金具１５及び１６間に主ロープ４を挟んだ状態で締付具１７を締め付け、把持金具１５及び１６によって、主ロープ４の負荷側４ａと端部側４ｂとの双方を挟持する。
【００２１】
受け具１３は、主ロープ４に固定された把持具１２と上記開口９ｂを形成するソケット９の一端部との間に配置されるものである。この受け具１３には、その中央に中空部１３ａが形成されており、受け具１３は、主ロープ４の負荷側４ａと端部側４ｂとの双方がこの中空部１３ａを貫通した状態で、上記位置に配置される。なお、受け具１３は、把持具１２及びソケット９の一端部間に適切に配置されると、その一部が、ソケット９の上記一端部（本実施の形態においては、開口９ｂが形成されたソケット９の端面）に接触することにより、ソケット９側への変位が規制される。
【００２２】
具体的に、上記受け具１３は、２つの受け金具１８及び１９と、受け金具１８及び１９を固定する固定ボルト等の締付具２０とを備えている。
受け金具１８は、Ｌ字状を呈する部材からなり、上記中空部１３ａの内側面の一部を形成するためのＬ字状の側面１８ａを有している。同様に、受け金具１９もＬ字状を呈する部材からなり、上記中空部１３ａの内側面の他部を形成するためのＬ字状の側面１９ａを有している。即ち、受け金具１８及び１９は、Ｌ字状の側面１８ａと側面１９ａとが互いに対向するように配置されることにより、上記側面１８ａ及び１９ａで四方を囲んだ部分によって上記中空部１３ａを形成する。
【００２３】
また、一方の受け金具１８には固定用のネジ孔１８ｂが、他方の受け金具１９には固定用の長孔１９ｂが形成されている。そして、受け具１３を主ロープ４に対して上記適正位置に配置する場合は、主ロープ４の負荷側４ａと端部側４ｂとが中空部１３ａを貫通するように受け金具１８及び１９を主ロープ４の両側から合わせた後、締付具２０を長孔１９ｂを介してネジ孔１８ｂに締め付け、両受け金具１８及び１９を固定する。
【００２４】
なお、受け金具１９に形成された長孔１９ｂは、図６に示すように、中空部１３ａの開口方向と直交する方向に長手を有している。このため、受け金具１８及び１９の位置を互いに長孔１９ｂの長手方向（主ロープ４の並び方向）にずらすことにより、中空部１３ａの開口寸法を、その開口の短手方向に変化させることなく、開口の長手方向にのみ調整することができる。即ち、上記構成の受け具１３であれば、主ロープ４の並び方向に中空部１３ａの開口寸法を広げる（狭める）ことができ、種々の径を有する主ロープ４に対応させることが可能となる。
【００２５】
押圧具１４は、主ロープ４に固定された把持具１２とこの把持具１２及びソケット９の上記一端部間に配置された受け具１３とを、互いに離れる方向に押圧するためのものである。例えば、押圧具１４は、把持具１２に設けられ、受け具１３を把持具１２から離れる方向、即ち、ソケット９の上記一端部側に押し付ける機能を有している。
【００２６】
具体的に、本実施の形態における押圧具１４は、把持具１２に形成されたネジ孔１２ａに、ソケット９の反対側から捩じ込まれたボルトからなる。ネジ孔１２ａは、把持具１２が適正に主ロープ４に固定された際に、その軸が主ロープ４の長手方向を向くように形成されている。このため、押圧具１４は、ネジ孔１２ａに締め込まれることにより、主ロープ４に対して主ロープ４の長手方向に変位し、その先端によって受け具１３をソケット９の一端部側に押圧する。
【００２７】
上記構成を有する挿入装置を使用して、留め金具７に主ロープ４を締結する場合、挿入装置を図３乃至図６に示す状態に取り付けた後、押圧具１４をネジ孔１２ａに対して更に締め付け、押圧具１４により、把持具１２と受け具１３とが互いに離れるように押圧する。なお、受け具１３は、主ロープ４を拘束していないため、押圧具１４によってソケット９側に押圧されることにより、ソケット９の上記一端部の端面に接触するまで、主ロープ４に沿ってソケット９側に移動する。そして、受け具１３がソケット９の一端部の端面に接触して受け具１３の移動が阻止されると、押圧具１４の押圧力により、把持具１２が主ロープ４を把持したまま、ソケット９（受け具１３）から離れる方向に移動する。これにより、ソケット９の収容部内に配置されていた主ロープ４の一部が開口９ｂからソケット９の外部に引き出され、ソケット９内で主ロープ４に生じた浮きを解消させながら、ウェッジ８をソケット９内の所定位置まで適切に引き込むことができる。
【００２８】
上記構成を有する挿入装置であれば、主ロープ４の径が太い場合であっても、主ロープ４の端部を留め金具７に適切に締結することができる。また、その締結時に、主ロープ４に浮きが発生する恐れもない。
なお、本実施の形態では、ソケット９の一端面によって受け具１３を受ける（受け具１３の移動を阻止する）場合について説明したが、ソケット９の傾斜した外周面において受け具１３を受けるように構成しても良い。
【００２９】
実施の形態２．
図７はこの発明の実施の形態２における楔式ロープ留め金具の挿入装置を示す正面図である。本実施の形態における挿入装置は、把持具２１と、受け具１３と、押圧具２２とにより、その要部が構成される。
【００３０】
把持具２１は、受け具１３に対向する面に傾斜面２１ａが形成されている以外は、上記把持具１２と同様の構成を有している。なお、傾斜面２１ａは、把持具２１の両側に設けられている。
受け具１３は、実施の形態１と同様のものである。
【００３１】
押圧具２２は、主ロープ４に固定された把持具２１と、この把持具２１及びソケット９の上記一端部間に配置された受け具１３とを、互いに離れる方向に押圧するためのものである。例えば、押圧具２２は、把持具２１に設けられ、受け具１３を把持具２１から離れる方向、即ち、ソケット９の上記一端部側に押し付ける機能を有している。
【００３２】
具体的に、本実施の形態における押圧具２２は、把持具２１に設けられた基体２３と、把持具２１及び受け具１３の各対向面間に配置された楔金具２４と、基体２３に設けられた押圧ボルト２５とを備えている。楔金具２４は楔状を呈しており、Ｖ字に形成された部分の一面が受け具１３の上面に、他面が把持具２１の傾斜面２１ａに対向するように、把持具２１及び受け具１３間に側方から挿入するように配置されている。
【００３３】
押圧ボルト２５は、基体２３に形成されたネジ孔（図示せず）に主ロープ４の反対側から捩じ込まれている。なお、基体２３に形成されたこのネジ孔は、把持具２１が適正に主ロープ４に固定された際に、その軸が主ロープ４の長手方向と直交する方向を向くように形成されている。このため、押圧ボルト２５は、基体２３のネジ孔に締め込まれることにより、主ロープ４に対して主ロープ４の長手方向と直交する方向に変位し、その先端によって楔金具２４を主ロープ４側に水平に押圧する。
【００３４】
上記構成を有する挿入装置を使用して、留め金具７に主ロープ４を締結する場合、挿入装置を図７に示す状態に取り付けた後、押圧具２２の押圧ボルト２５を締め付け、楔金具２４により、把持具２１と受け具１３とが互いに離れるように押圧する。
なお、その後の操作は、実施の形態１と同様であり、本構成を有する挿入装置を使用しても、実施の形態１と同様の効果を得ることができる。
【００３５】
なお、上記各実施の形態においては、押圧具を把持具に設けた構成について説明したが、上記機能を実現することができれば、押圧具を受け具に設けても構わない。かかる場合、押圧具は、把持具をソケット９から離れる方向に押圧する。
【００３６】
また、エレベーターでは、かご２やつり合いおもり３を懸架する主ロープ４の他にも、種々の目的でワイヤロープが使用されている。上記各実施の形態においては、楔式の留め金具７にエレベーターの主ロープ４を締結する場合についてのみ説明したが、本挿入装置は、エレベーターで使用されている他のロープを留め金具７に締結する際にも適用できることは言うまでもない。また、エレベーター以外で使用されているロープに適用することも可能である。
【符号の説明】
【００３７】
１  昇降路
２  かご
２ａ  かご枠
３  つり合いおもり
４  主ロープ
４ａ  負荷側
４ｂ  端部側
５  巻上装置
５ａ  駆動綱車
６  そらせ車
７  留め金具
８  ウェッジ
８ａ  先端
９  ソケット
９ａ  楔受け面
９ｂ、９ｃ  開口
１０  割りピン
１１  ワイヤクリップ
１２、２１  把持具
１２ａ、１８ｂ  ネジ孔
１３  受け具
１３ａ  中空部
１４、２２  押圧具
１５、１６  把持金具
１５ａ、１６ａ  溝
１７、２０  締付具
１８、１９  受け金具
１８ａ、１９ａ  側面
１９ｂ  長孔
２１ａ  傾斜面
２３  基体
２４  楔金具
２５  押圧ボルト
【図１】
0005625763.tif 000002
【図２】
0005625763.tif 000003
【図３】
0005625763.tif 000004
【図４】
0005625763.tif 000005
【図５】
0005625763.tif 000006
【図６】
0005625763.tif 000007
【図７】
0005625763.tif 000008